(57)【特許請求の範囲】
【請求項１】
コンロバーナを横幅方向に並べた状態で備えるビルトインコンロが、キッチンカウンターのカウンタトップに形成した矩形状の開口に挿入される状態で装着される加熱調理設備であって、
横方向に並ぶ複数のコンロバーナのうちの、一端側のものが他端側のものよりも最大火力が高火力となる状態に構成され、
前記開口が、前記カウンタトップの横幅方向において、前記コンロバーナのうちの最大火力が一端側のコンロバーナよりも低い他端側のコンロバーナが存在する側に偏った位置に形成されて、前記コンロバーナのうちの最大火力が高火力となる一端側のコンロバーナとそれに対応する側の前記カウンタトップの横端部との間隔が、前記コンロバーナのうちの最大火力が一端側のコンロバーナよりも低い他端側のコンロバーナとそれに対応する側の前記カウンタトップの横端部との間隔よりも大きくなるように構成され、
横方向に並ぶ複数の前記コンロバーナのうちの、一端側のものが他端側のものよりも最大火力が高火力となる状態に構成された前記ビルトインコンロの、前記カウンタトップの横幅方向において、前記コンロバーナのうちの最大火力が一端側のコンロバーナよりも低い他端側のコンロバーナが存在する側に偏った位置に前記開口が形成された前記カウンタトップを備えたキッチンカウンターへの装着を許容し、且つ、横方向に並ぶ複数の前記コンロバーナのうちの、他端側のものが一端側のものよりも最大火力が高火力となる状態に構成された前記ビルトインコンロの、前記カウンタトップの横幅方向において、前記コンロバーナのうちの最大火力が一端側のコンロバーナよりも低い他端側のコンロバーナが存在する側に偏った位置に前記開口が形成された前記カウンタトップを備えたキッチンカウンターへの装着を牽制する、誤設置防止用牽制手段が設けられている加熱調理設備。
【請求項２】
前記ビルトインコンロが、前記コンロバーナを備える本体部と天板とを備え、
前記本体部が、前記開口に挿入される状態で、且つ、その上端に備える鍔部が前記カウンタトップ側に係止支持される状態で、前記カウンタトップに組み付けられ、
前記天板が、前記カウンタトップに組み付けた前記本体部を覆う状態に装着され、
前記鍔部を含めた前記本体部の前後幅又は横幅の少なくとも一方が、前記開口の前後幅又は横幅よりも小さく形成され、
前記鍔部を載置支持する載置枠が、前記開口の縁部に係止支持される状態で設けられ、
前記鍔部が、前記開口の縁部にて係止支持された前記載置枠に載置されることより、前記カウンタトップ側に係止支持されるように構成され、
前記誤設置防止用牽制手段が、前記カウンタトップの横幅方向において、前記コンロバーナのうちの最大火力が一端側のコンロバーナよりも低い他端側のコンロバーナが存在する側に偏った位置に前記開口が形成された前記カウンタトップに対して、横方向に並ぶ複数の前記コンロバーナのうちの、一端側のものが他端側のものよりも最大火力が高火力となる状態に構成された前記ビルトインコンロの装着に使用する前記載置枠の装着を許容し、且つ、横方向に並ぶ複数の前記コンロバーナのうちの、他端側のものが一端側のものよりも最大火力が高火力となる状態に構成された前記ビルトインコンロの装着に使用する前記載置枠の装着を牽制する手段である請求項１記載の加熱調理設備。
【請求項３】
前記カウンタトップの横幅方向において、前記コンロバーナのうちの最大火力が一端側のコンロバーナよりも低い他端側のコンロバーナが存在する側に偏った位置に前記開口が形成された前記カウンタトップに、横方向に並ぶ複数の前記コンロバーナのうちの、一端側のものが他端側のものよりも最大火力が高火力となる状態に構成された前記ビルトインコンロの装着に使用する前記載置枠が前記開口の縁部に装着されるのを許容し、且つ、横方向に並ぶ複数の前記コンロバーナのうちの、他端側のものが一端側のものよりも最大火力が高火力となる状態に構成された前記ビルトインコンロの装着に使用する前記載置枠の下端側部分に設けた牽制用凸部との接当により、当該載置枠が前記開口の縁部に装着されるのを牽制する牽制用当たり部が設けられ、
前記誤設置防止用牽制手段が、前記牽制用凸部及び前記牽制用当たり部にて構成されている請求項２記載の加熱調理設備。
【請求項４】
前記鍔部を含めた前記本体部の横幅が前記開口の横幅よりも小さく形成され、
前記載置枠が、前記カウンタトップの前後幅方向に伸びる長尺状に形成されて、その前後両端部が前記開口の前方側及び後方側の縁部にて係止支持される左右一対の縦枠部分を備え、
前記鍔部における前記本体部の左右に位置する左右鍔部分が、前記左右一対の縦枠部分に載置されるように構成され、
前記左右一対の縦枠部分に、前記牽制用凸部が形成されている請求項３記載の加熱調理設備。
【請求項５】
前記鍔部を含めた前記本体部の前後幅が前記開口の前後幅よりも小さく形成され、
前記載置枠が、前記カウンタトップの横幅方向に伸びる長尺状に形成されて、その左右両端部が前記左右一対の縦枠部分にて載置支持される横枠部分を、前記開口の前方側又は後方側の縁部に隣接する設定組付位置に位置させる状態で備え、
前記鍔部における前記本体部の前後に位置する前後鍔部分のうちの、前記横枠部分が存在する側の鍔部分が、前記横枠部分に載置され、且つ、前記横枠部分が存在しない側の鍔部分が、前記開口の前方側又は後方側の縁部に載置されるように構成され、
前記牽制用凸部が、装着が牽制されるべき前記キッチンカウンターに対して、前記左右一対の縦枠部分が前後反転姿勢で前記開口の縁部に装着された場合には、前記牽制用当たり部と接当しないように構成され、
前記左右一対の縦枠部分と前記横枠部分とに、前記左右一対の縦枠部分が前後適正姿勢で前記開口の縁部に装着された場合には、前記設定組付位置に位置させた前記横枠部分の両端部を前記左右一対の縦枠部分に載置するときに係合状態となり、前記左右一対の縦枠部分が前後反転姿勢で前記開口の縁部に装着された場合には、前記設定組付位置に位置させた前記横枠部分の両端部を前記左右一対の縦枠部分に載置するときに非係合状態となる載置牽制用係合部が設けられている請求項４記載の加熱調理設備。
【請求項６】
前記天板に、下方に突出する突起部が設けられ、
前記左右一対の縦枠部分が前記前後反転姿勢で前記開口の縁部に装着され、かつ、前記横枠部分が、前記設定組付位置とは反対側に相当する前記開口の前方側又は後方側の縁部に隣接する位置にて、前記前後反転姿勢の前記左右一対の縦枠部分にて載置される前後反転組付状態においては、前記載置牽制用係合部が係合状態となるように構成され、
前記載置枠に、前記左右一対の縦枠部分が前記前後適正姿勢で前記開口の縁部に装着され、かつ、前記横枠部分が、前記設定組付位置にて、前記前後適正姿勢の前記左右一対の縦枠部分にて載置される適正組付状態においては、前記突起部が挿入可能となり、且つ、前記左右一対の縦枠部分及び前記横枠部分の前記前後反転組付状態においては、前記突起部が挿入不能となる状態で、前記突起部の挿入孔が形成されている請求項５記載の加熱調理設備。
【発明の詳細な説明】
【技術分野】
【０００１】
本発明は、コンロバーナを横幅方向に並べた状態で備えるビルトインコンロが、キッチンカウンターのカウンタトップに形成した矩形状の開口に挿入される状態で装着される加熱調理設備に関する。
【背景技術】
【０００２】
かかる加熱調理設備におけるキッチンカウンターは、一般家庭の台所に設置されて使用されるものであり、通常は、シンクを備えたカウンターや調理台として機能するカウンター等と並べて設置されることになる。
つまり、本発明の加熱調理設備におけるキッチンカウンターは、ビルトインコンロを備えるものであるが、シンクを備えないものであり、このため、通常は、シンクを備えたカウンター等の他のカウンターと並べて設置されて使用されることになる。
【０００３】
そして、かかる調理設備においては、ビルトインコンロが、キッチンカウンターのカウンタトップに形成した矩形状の開口に挿入される状態で装着されるものであるから、使い易く、また、カウンタトップの上部側箇所を美麗な状態にできるものである。
【０００４】
かかる加熱調理設備の従来例として、ビルトインコンロを挿入する開口が、カウンタトップの横幅方向において、カウンタトップの中央位置に形成され、その開口にビルトインコンロが挿入される状態で装着されたものがある（例えば、特許文献１参照。）。
【０００５】
ちなみに、特許文献１においては、ビルトインコンロを装着したキッチンカウンターの左側に、建物の壁が位置し、キッチンカウンターの右側に、シンクを備えたカウンターが配設される例が開示されている。
つまり、キッチンカウンターが、その左側を建物の壁に隣接させる状態で配置され、そして、シンクを備えたカウンターが、キッチンカウンターの右側に並置される例が記載されている。
【０００６】
また、特許文献１において例示されるビルトインコンロには、横方向に並ぶコンロバーナとして、３つのコンロバーナが備えられ、それら３つのコンロバーナのうちの２つのコンロバーナが、前側部分に横方向に並ぶ状態で設けられ、残りの一つのコンロが、後側部分に、横方向において前側の２つのコンロバーナの間に相当する箇所に位置する状態で設けられている。
【先行技術文献】
【特許文献】
【０００７】
【特許文献１】特開平１０−３８２２５号公報
【発明の概要】
【発明が解決しようとする課題】
【０００８】
ビルトインコンロに横方向に並べた状態で備えさせるコンロバーナとしては、最大火力が異なるものが装備されることが多く、一般には、横方向に並ぶ複数のコンロバーナのうちの、一端側のものが他端側のものよりも最大火力が高火力となる状態となるように構成されることになる。
【０００９】
このように、横方向に並ぶコンロバーナの一端側のものと他端側のものとで最大火力を異ならせる場合には、キッチンカウンターの横側に位置する壁の過熱を抑制すべく、壁に隣接するコンロバーナの最大火力が低くなるようにする必要がある。
【００１０】
このため、ビルトインコンロとして、横幅方向に並ぶコンロバーナのうちの左端のコンロバーナの最大火力を右端のコンロバーナの最大火力よりも大きくする左端高火力型コンロと、横幅方向に並ぶコンロバーナのうちの右端のコンロバーナの最大火力を左端のコンロバーナの最大火力よりも大きくする右端高火力型コンロとを用意しておき、これらの形式のビルトインコンロを、キッチンカウンターの設置状況に合わせて、選択して装着することが行われている。
【００１１】
つまり、キッチンカウンターの左側に建物の壁が存在する場合には、右端高火力型コンロを選択して装着し、また、キッチンカウンターの右側に建物の壁が存在する場合には、左端高火力型コンロを選択して装着することになる。
【００１２】
このように、従来では、キッチンカウンターが、その左側又は右側を建物の壁に隣接させる状態で配置される場合には、横方向に並ぶコンロバーナのうちの、壁から最も離れる側のコンロバーナの最大火力の方が壁に隣接するコンロバーナの最大火力よりも大きくなる状態で、複数のコンロバーナが並ぶものとなるが、このような形態でコンロバーナが並ぶ状態は、使用者によっては、使い勝手が悪い場合があり、改善が望まれるものである。
【００１３】
すなわち、コンロバーナは、その最大火力が大きいと、その最小火力も大きくなることが多く、壁から最も離れる側のコンロバーナの最大火力が大きい場合には、壁から最も離れる側のコンロバーナでは、十分に小さな火力にて加熱調理を行えないものとなるため、使用者によっては、使い勝手が悪いと感じるものであった。
【００１４】
つまり、キッチンカウンターが、その左側又は右側を建物の壁に隣接させる状態で配置される場合においては、そのキッチンカウンターにおける建物の壁が存在する側とは反対側の横側部に、シンクを備えるカウンターを並べることが多く、使用者は、シンクを用いて洗いもの等の作業を行いながら、加熱調理を行うことが多いものであり、このようなときには、シンクを備えるカウンターに隣接するコンロバーナを使用することが望まれる。
【００１５】
しかしながら、加熱調理としては、大きな火力を必要とする場合よりも、むしろ十分に小さな火力を必要とする場合の方が多いため、壁から最も離れる側のコンロバーナの火力を十分に小さな火力に調節することができないことに起因して、壁に隣接するコンロバーナを使用する頻度が大きくなるものであった。
そして、壁に隣接するコンロバーナは、シンクを備えるカウンターから離れた状態で位置するため、使用者によっては、使い勝手が悪いと感じるものであった。
【００１６】
本発明は、上記実情に鑑みて為されたものであって、その目的は、キッチンカウンターの横側に隣接する建物の壁を過熱することを抑制しながらも、使用者の使い勝手を向上させることができる加熱調理設備を提供する点にある。
【課題を解決するための手段】
【００１７】
本発明の加熱調理設備は、コンロバーナを横幅方向に並べた状態で備えるビルトインコンロが、キッチンカウンターのカウンタトップに形成した矩形状の開口に挿入される状態で装着される加熱調理設備であって、その第１特徴構成は、
横方向に並ぶ複数のコンロバーナのうちの、一端側のものが他端側のものよりも最大火力が高火力となる状態に構成され、
前記開口が、前記カウンタトップの横幅方向において、前記コンロバーナのうちの最大火力が一端側のコンロバーナよりも低い他端側のコンロバーナが存在する側に偏った位置に形成されて、前記コンロバーナのうちの最大火力が高火力となる一端側のコンロバーナとそれに対応する側の前記カウンタトップの横端部との間隔が、前記コンロバーナのうちの最大火力が一端側のコンロバーナよりも低い他端側のコンロバーナとそれに対応する側の前記カウンタトップの横端部との間隔よりも大きくなるように構成され、
横方向に並ぶ複数の前記コンロバーナのうちの、一端側のものが他端側のものよりも最大火力が高火力となる状態に構成された前記ビルトインコンロの、前記カウンタトップの横幅方向において、前記コンロバーナのうちの最大火力が一端側のコンロバーナよりも低い他端側のコンロバーナが存在する側に偏った位置に前記開口が形成された前記カウンタトップを備えたキッチンカウンターへの装着を許容し、且つ、横方向に並ぶ複数の前記コンロバーナのうちの、他端側のものが一端側のものよりも最大火力が高火力となる状態に構成された前記ビルトインコンロの、前記カウンタトップの横幅方向において、前記コンロバーナのうちの最大火力が一端側のコンロバーナよりも低い他端側のコンロバーナが存在する側に偏った位置に前記開口が形成された前記カウンタトップを備えたキッチンカウンターへの装着を牽制する、誤設置防止用牽制手段が設けられている点を特徴とする。
【００１８】
すなわち、コンロバーナのうちの最大火力が高火力となる一端側のコンロバーナとそれに対応する側のカウンタトップの横端部との間隔が、コンロバーナのうちの最大火力が一端側のコンロバーナよりも低い他端側のコンロバーナとそれに対応する側のカウンタトップの横端部との間隔よりも大きくなるように構成されているから、最大火力が高火力となる一端側のコンロバーナの横側部に建物の壁が存在しても、そのコンロバーナと建物の壁との間隔が大きいため、そのコンロバーナを高火力にて燃焼させても、建物の壁を過熱することを抑制でき、また、最大火力が低火力となる他端側のコンロバーナの横側部に建物の壁が存在しても、そのコンロバーナの最大火力が小さいため、そのコンロバーナと建物の壁との間隔は小さいものの、そのコンロバーナの燃焼により、建物の壁を過熱することを抑制できる。
【００１９】
つまり、キッチンカウンターを、その左側を建物の壁に隣接させる状態で配置する場合や、その右側を建物の壁に隣接させる状態で配置する場合のいずれにおいても、キッチンカウンターに隣接する建物の壁を過熱することを抑制できる。
【００２０】
したがって、ビルトインコンロとキッチンカウンターとの組み合わせとして、一端側を左側とする形態のものと、一端側を右側とする形態のものとを用意して、使用者の要望に合わせて、それらの形態のいずれかを選択して設置することにより、使用者の使い勝手を向上させることができる。
【００２１】
例えば、キッチンカウンターを、その左側を建物の壁に隣接させる状態で設置し、そのキッチンカウンターの右側に、シンクを備えるカウンターを配置する場合において、横方向に並ぶコンロバーナのうちの左端のコンロバーナの最大火力を高火力として、右端のコンロバーナの最大火力が低火力となるようにすれば、使用者は、シンクを用いて洗いもの作業を行いながら、シンクを備えるカウンター側に位置するコンロバーナを用いて、十分に小さな火力にて加熱調理を行うこともできるものとなるのである。
【００２２】
要するに、本発明の第１特徴構成によれば、キッチンカウンターの横側に隣接する建物の壁を過熱することを抑制しながらも、使用者の使い勝手を向上させることができる加熱調理設備を提供できる。
【００２４】
すなわち、誤設置防止用牽制手段が、横方向に並ぶ複数の前記コンロバーナのうちの、一端側のものが他端側のものよりも最大火力が高火力となる状態に構成された前記ビルトインコンロの、前記カウンタトップの横幅方向において、前記コンロバーナのうちの最大火力が一端側のコンロバーナよりも低い他端側のコンロバーナが存在する側に偏った位置に前記開口が形成された前記カウンタトップを備えたキッチンカウンターへの装着を許容し、且つ、横方向に並ぶ複数の前記コンロバーナのうちの、他端側のものが一端側のものよりも最大火力が高火力となる状態に構成された前記ビルトインコンロの、前記カウンタトップの横幅方向において、前記コンロバーナのうちの最大火力が一端側のコンロバーナよりも低い他端側のコンロバーナが存在する側に偏った位置に前記開口が形成された前記カウンタトップを備えたキッチンカウンターへの装着を牽制する。
【００２６】
要するに、本発明の第１特徴構成によれば、使用者の使い勝手を向上させながらも、キッチンカウンターの横側に隣接する建物の壁の過熱を的確に抑制することができる加熱調理設備を提供できる。
【００２７】
本発明の第２特徴構成は、上記した第１特徴構成に加えて、
前記ビルトインコンロが、前記コンロバーナを備える本体部と天板とを備え、
前記本体部が、前記開口に挿入される状態で、且つ、その上端に備える鍔部が前記カウンタトップ側に係止支持される状態で、前記カウンタトップに組み付けられ、
前記天板が、前記カウンタトップに組み付けた前記本体部を覆う状態に装着され、
前記鍔部を含めた前記本体部の前後幅又は横幅の少なくとも一方が、前記開口の前後幅又は横幅よりも小さく形成され、
前記鍔部を載置支持する載置枠が、前記開口の縁部に係止支持される状態で設けられ、
前記鍔部が、前記開口の縁部にて係止支持された前記載置枠に載置されることより、前記カウンタトップ側に係止支持されるように構成され、
前記誤設置防止用牽制手段が、前記カウンタトップの横幅方向において、前記コンロバーナのうちの最大火力が一端側のコンロバーナよりも低い他端側のコンロバーナが存在する側に偏った位置に前記開口が形成された前記カウンタトップに対して、横方向に並ぶ複数の前記コンロバーナのうちの、一端側のものが他端側のものよりも最大火力が高火力となる状態に構成された前記ビルトインコンロの装着に使用する前記載置枠の装着を許容し、且つ、横方向に並ぶ複数の前記コンロバーナのうちの、他端側のものが一端側のものよりも最大火力が高火力となる状態に構成された前記ビルトインコンロの装着に使用する前記載置枠の装着を牽制する手段である点を特徴とする。
【００２８】
すなわち、本体部を、開口に挿入する状態で、かつ、その上端に備える鍔部をカウンタトップ側に係止する状態で、カウンタトップに組み付け、そのように組み付けられた本体部を覆う状態に天板を装着することにより、ビルトインコンロが、カウンタトップに装着されることになる。
【００２９】
上端に鍔部を備える本体部は、鍔部を含めた前後幅又は横幅の少なくとも一方が、開口の前後幅又は横幅よりも小さくなるように形成されているため、本体部の上端に備えさせた鍔部が、開口の縁部に係止支持される状態で設けられる載置枠にて載置されることにより、カウンタトップ側に係止されることになる。
【００３０】
また、前記誤設置防止用牽制手段が、前記カウンタトップの横幅方向において、前記コンロバーナのうちの最大火力が一端側のコンロバーナよりも低い他端側のコンロバーナが存在する側に偏った位置に前記開口が形成された前記カウンタトップに対して、横方向に並ぶ複数の前記コンロバーナのうちの、一端側のものが他端側のものよりも最大火力が高火力となる状態に構成された前記ビルトインコンロの装着に使用する前記載置枠の装着を許容し、且つ、横方向に並ぶ複数の前記コンロバーナのうちの、他端側のものが一端側のものよりも最大火力が高火力となる状態に構成された前記ビルトインコンロの装着に使用する前記載置枠の装着を牽制する。
【００３５】
また、鍔部を備える本体部の鍔部を含めた前後幅又は横幅の少なくとも一方が開口よりも小さいため、配送のためにビルトインコンロを梱包するにあたり、鍔部を備える本体部の鍔部を含めた前後幅及び横幅を開口よりも大きくする場合に較べて、その梱包の大きさを小さくすることができるものとなるのであり、配送のための搬送面において有利となるのである。
【００３６】
要するに、本発明の第２特徴構成によれば、上記した第１特徴構成による作用効果に加えて、設備全体の簡素化を図ることができ、かつ、配送のための搬送面において有利となる加熱調理設備を提供できる。
【００３７】
本発明の第３特徴構成は、上記第２特徴構成に加えて、
前記カウンタトップの横幅方向において、前記コンロバーナのうちの最大火力が一端側のコンロバーナよりも低い他端側のコンロバーナが存在する側に偏った位置に前記開口が形成された前記カウンタトップに、横方向に並ぶ複数の前記コンロバーナのうちの、一端側のものが他端側のものよりも最大火力が高火力となる状態に構成された前記ビルトインコンロの装着に使用する前記載置枠が前記開口の縁部に装着されるのを許容し、且つ、横方向に並ぶ複数の前記コンロバーナのうちの、他端側のものが一端側のものよりも最大火力が高火力となる状態に構成された前記ビルトインコンロの装着に使用する前記載置枠の下端側部分に設けた牽制用凸部との接当により、当該載置枠が前記開口の縁部に装着されるのを牽制する牽制用当たり部が設けられ、
前記誤設置防止用牽制手段が、前記牽制用凸部及び前記牽制用当たり部にて構成されている点を特徴とする。
【００３８】
すなわち、前記カウンタトップの横幅方向において、前記コンロバーナのうちの最大火力が一端側のコンロバーナよりも低い他端側のコンロバーナが存在する側に偏った位置に前記開口が形成された前記カウンタトップに、横方向に並ぶ複数の前記コンロバーナのうちの、一端側のものが他端側のものよりも最大火力が高火力となる状態に構成された前記ビルトインコンロの装着に使用する前記載置枠が前記開口の縁部に装着されるのを許容し、且つ、横方向に並ぶ複数の前記コンロバーナのうちの、他端側のものが一端側のものよりも最大火力が高火力となる状態に構成された前記ビルトインコンロの装着に使用する前記載置枠の下端側部分に設けた牽制用凸部との接当により、当該載置枠が前記開口の縁部に装着されるのを牽制する牽制用当たり部が設けられている。
そして、前記誤設置防止用牽制手段が、前記牽制用凸部及び前記牽制用当たり部にて構成されている。
【００４１】
要するに、本発明の第３特徴構成によれば、上記した第２特徴構成による作用効果に加えて、牽制用凸部と牽制用当たり部とを用いた簡単な構成にて、ビルトインコンロの適正な装着状態を的確に現出できる加熱調理設備を提供できる。
【００４２】
本発明の第４特徴構成は、上記した第３特徴構成に加えて、
前記鍔部を含めた前記本体部の横幅が前記開口の横幅よりも小さく形成され、
前記載置枠が、前記カウンタトップの前後幅方向に伸びる長尺状に形成されて、その前後両端部が前記開口の前方側及び後方側の縁部にて係止支持される左右一対の縦枠部分を備え、
前記鍔部における前記本体部の左右に位置する左右鍔部分が、前記左右一対の縦枠部分に載置されるように構成され、
前記左右一対の縦枠部分に、前記牽制用凸部が形成されている点を特徴とする。
【００４３】
すなわち、鍔部を含めた本体部の横幅が、開口の横幅よりも小さく形成され、それに合わせて、載置枠が、カウンタトップの前後幅方向に伸びる長尺状に形成されて、その前後両端部が開口の前方側及び後方側の縁部にて係止支持される左右一対の縦枠部分を備えるように構成される。
そして、鍔部における本体部の左右に位置する左右鍔部分が、左右一対の縦枠部分に載置されることにより、本体部が開口に装着されることになる。
【００４４】
また、左右一対の縦枠部分に、牽制用凸部が形成されて、ビルコインコンロの適正な装着状態を的確に現出できる。
【００４５】
このように、鍔部を含めた本体部の横幅を、開口の横幅よりも小さく形成しながら、ビルトインコンロの適正な装着状態を的確に現出させるものであるから、本体部の横幅が小さくなることにより、配送のためにビルトインコンロを梱包するにあたり、その梱包の大きさの小型化を図り易いものとなり、配送のための搬送面において一層有利となる。
【００４６】
つまり、本体部は、コンロバーナを横幅方向に並べた状態に備えることになるため、その横幅が前後幅よりも大きくなるものであるが、そのような本体部の横幅を、極力小さくできるものとなるため、ビルトインコンロを梱包するにあたり、その梱包の大きさの小型化を図り易いものとなるのである。
【００４７】
要するに、本発明の第４特徴構成によれば、上記した第３特徴構成による作用効果に加えて、ビルトインコンロを梱包するにあたり、その梱包の大きさの小型化を図ることができる加熱調理設備を提供できる。
【００４８】
本発明の第５特徴構成は、上記第４特徴構成に加えて、
前記鍔部を含めた前記本体部の前後幅が前記開口の前後幅よりも小さく形成され、
前記載置枠が、前記カウンタトップの横幅方向に伸びる長尺状に形成されて、その左右両端部が前記左右一対の縦枠部分にて載置支持される横枠部分を、前記開口の前方側又は後方側の縁部に隣接する設定組付位置に位置させる状態で備え、
前記牽制用凸部が、装着が牽制されるべき前記キッチンカウンターに対して、前記左右一対の縦枠部分が前後反転姿勢で前記開口の縁部に装着された場合には、前記牽制用当たり部と接当しないように構成され、
前記鍔部における前記本体部の前後に位置する前後鍔部分のうちの、前記横枠部分が存在する側の鍔部分が、前記横枠部分に載置され、且つ、前記横枠部分が存在しない側の鍔部分が、前記開口の前方側又は後方側の縁部に載置されるように構成され、
前記左右一対の縦枠部分と前記横枠部分とに、前記左右一対の縦枠部分が前後適正姿勢で前記開口の縁部に装着された場合には、前記設定組付位置に位置させた前記横枠部分の両端部を前記左右一対の縦枠部分に載置するときに係合状態となり、前記左右一対の縦枠部分が前後反転姿勢で前記開口の縁部に装着された場合には、前記設定組付位置に位置させた前記横枠部分の両端部を前記左右一対の縦枠部分に載置するときに非係合状態となる載置牽制用係合部が設けられている点を特徴とする。
【００４９】
すなわち、鍔部を含めた本体部の前後幅が開口の前後幅よりも小さく形成され、それに合わせて、載置枠が、カウンタトップの横幅方向に伸びる長尺状に形成されて、その左右両端部が左右一対の縦枠部分にて載置支持される横枠部分を、開口の前方側又は後方側の縁部に隣接する設定組付位置に位置させる状態で備えるように構成される。
【００５０】
そして、鍔部における本体部の前後に位置する前後鍔部分のうちの、横枠部分が存在する側の鍔部分が、横枠部分に載置され、且つ、横枠部分が存在しない側の鍔部分が、開口の前方側又は後方側の縁部に載置されることにより、本体部が開口に装着されることになる。
【００５１】
このように、鍔部を含めた本体部の前後幅を、開口の前後幅よりも小さく形成するものであるから、配送のためにビルトインコンロを梱包するにあたり、その梱包の大きさの一層の小型化を図り易いものとなる。
【００５２】
そして、鍔部を含めた本体部の前後幅を開口の前後幅よりも小さく形成するのに合わせて、鍔部における本体部の前後に位置する前後鍔部分を載置するために、載置枠に横枠部分を備えさせるようにするにあたり、開口の前方側又は後方側の縁部に隣接する設定組付位置に位置させるようにする一つの横枠部分を備えさせて、鍔部における本体部の前後に位置する前後鍔部分のうちの、横枠部分が存在する側の鍔部分を、横枠部分に載置させ、横枠部分が存在しない側の鍔部分を、開口の前方側又は後方側の縁部に載置させるものであるから、開口の前方側及び後方側の縁部に隣接する位置に装着する一対の横枠部分を備えさせるようにするに較べて、載置枠の簡素化を図ることができるものとなる。
【００５３】
また、左右一対の縦枠部分と横枠部分とに、載置牽制用係合部が設けられて、左右一対の縦枠部分が前後適正姿勢で開口の縁部に装着された場合には、設定組付位置に位置させた横枠部分の両端部を左右一対の縦枠部分に載置するときに、載置牽制用係合部が係合状態となるものの、左右一対の縦枠部分が前後反転姿勢で開口の縁部に装着された場合には、設定組付位置に位置させた横枠部分の両端部を左右一対の縦枠部分に載置するときに、載置牽制用係合部が非係合状態となるため、左右一対の縦枠部分が、前後反転姿勢で装着される状態になることを抑制できる。
【００５４】
そして、左右一対の縦枠部分が、装着が牽制されるべきキッチンカウンターに対して、前後反転姿勢で装着されると、牽制用凸部と牽制用当たり部との接当による牽制作用が適正通り発揮されない場合においても、左右一対の縦枠部分が前後反転姿勢で装着される状態になることを抑制できるため、牽制用凸部と牽制用当たり部との接当による牽制作用を適切に発揮させることができるものとなる。
【００５５】
要するに、本発明の第５特徴構成によれば、第４特徴構成による作用効果に加えて、ビルトインコンロを梱包するにあたり、その梱包の大きさの一層の小型化を図ることができ、しかも、載置枠の構成の簡素化を図り、さらには、左右一対の縦枠部分を適正な姿勢にて装着することができる加熱調理設備を提供できる。
【００５６】
本発明の第６特徴構成は、上記第５特徴構成に加えて、
前記天板に、下方に突出する突起部が設けられ、
前記左右一対の縦枠部分が前記前後反転姿勢で前記開口の縁部に装着され、かつ、前記横枠部分が、前記設定組付位置とは反対側に相当する前記開口の前方側又は後方側の縁部に隣接する位置にて、前記前後反転姿勢の前記左右一対の縦枠部分にて載置される前後反転組付状態においては、前記載置牽制用係合部が係合状態となるように構成され、
前記載置枠に、前記左右一対の縦枠部分が前記前後適正姿勢で前記開口の縁部に装着され、かつ、前記横枠部分が、前記設定組付位置にて、前記前後適正姿勢の前記左右一対の縦枠部分にて載置される適正組付状態においては、前記突起部が挿入可能となり、且つ、前記左右一対の縦枠部分及び前記横枠部分の前記前後反転組付状態においては、前記突起部が挿入不能となる状態で、前記突起部の挿入孔が形成されている点を特徴とする。
【００５７】
すなわち、左右一対の縦枠部分が前後適正姿勢で開口の縁部に装着され、かつ、横枠部分が、設定組付位置にて、前後適正姿勢の前記左右一対の縦枠部分にて載置される適正組付状態においては、天板に設けた突起部が、載置枠に形成した挿入孔に挿入可能となる。
しかしながら、左右一対の縦枠部分が前後反転姿勢で開口の縁部に装着され、かつ、横枠部分が、設定組付位置とは反対側に相当する開口の前方側又は後方側の縁部に隣接する位置にて、前後反転姿勢の左右一対の縦枠部分にて載置される前後反転組付状態においては、天板に設けた突起部が、載置枠に形成した挿入孔に挿入不能となるため、この挿入不能な状態になることをもって、前後反転組付状態の載置枠に載置された状態で本体部が装着された状態であることを認識させることが可能となる。
【００５８】
説明を加えると、左右一対の縦枠部分が前後適正姿勢で開口の縁部に装着された場合において、設定組付位置に位置させた横枠部分の両端部を左右一対の縦枠部分に載置するときに、載置牽制用係合部が係合状態となるということは、左右一対の縦枠部分が前後反転姿勢であっても、横枠部分を設定組付位置とは反対側の開口の前方側又は後方側に位置させた状態で、その横枠部分の両端部を左右一対の縦枠部分に載置すると、載置牽制用係合部が係合状態となるため、上述した前後反転組付状態にて、左右一対の縦枠部分や横枠部分を組み付けることができるものとなる。
【００５９】
このため、前後反転組付状態にて載置枠を組み付けて、その載置枠に載置させる状態で本体部を組み付けてしまう虞がある。
そして、前後反転組付状態においては、牽制用凸部と牽制用当たり部との接当による牽制作用が適正通り発揮されない。
【００６０】
しかしながら、上述の如く、天板に設けた突起部が載置枠に形成した挿入孔に挿入不能な状態になることをもって、前後反転組付状態の載置枠に載置された状態で本体部が装着された状態であることを認識させることが可能となるから、前後反転組付状態にて載置枠を装着して、その載置枠に載置させる状態で本体部を組み付けている状態であることを認識させて、適正組付状態に載置枠を装着させることができるため、牽制用凸部と牽制用当たり部との接当による牽制作用を適切に発揮させながら、適正組付状態に装着された載置枠にて載置させた状態で本体部を装着できる。
【００６１】
要するに、本発明の第６特徴構成によれば、第５特徴構成による作用効果に加えて、ビルトインコンロをキッチンカウンターに適正通り装着した状態を一層的確に現出させることができる加熱調理設備を提供できる。
【図面の簡単な説明】
【００６２】
【図１】左端高火力型コンロを装備した加熱調理設備の斜視図
【図２】右端高火力型コンロを装備した加熱調理設備の斜視図
【図３】ガスコンロ装着部の縦断側面図
【図４】ガスコンロを離脱させた状態のガスコンロ装着部の切欠正面図
【図５】ガスコンロ装着部の切欠き正面図
【図６】同部を破断した状態の斜視図
【図７】ガスコンロの天板を外した状態の平面図
【図８】ガスコンロを破断した状態の斜視図
【図９】ガスコンロ装着部の前端側箇所を示す縦断側面図
【図１０】ガスコンロ装着部の後端側箇所を示す縦断側面図
【図１１】載置枠の左端高火力型コンロ用の縦枠部分を示す斜視図
【図１２】図１１におけるＸＩＩ−ＸＩＩ線矢視図
【図１３】載置枠の横枠部分を示す斜視図
【図１４】同枠部分の縦断側面図
【図１５】載置枠の右端高火力型コンロ用の縦枠部分を示す斜視図
【図１６】図１５におけるＸＶＩ−ＸＶＩ線矢視図
【図１７】天板の平面図
【図１８】天板の裏面図
【図１９】天板の正面図
【図２０】ガラスプレート固定部の縦断側面図
【図２１】ガラスプレート固定具の斜視図
【図２２】天板止着手段の切欠き側面図
【図２３】同手段の切欠き側面図
【図２４】同手段の正面図
【図２５】本体部止着手段の斜視図
【図２６】同手段の分解斜視図
【図２７】誤設置状態を示す破断斜視図
【図２８】誤設置状態を示す破断斜視図
【発明を実施するための形態】
【００６３】
〔実施形態〕
次に、本発明の実施形態を図面に基づいて説明する。
図１及び図２に示すように、コンロバーナ１を横幅方向に並べた状態で備えるビルトインコンロとしてのビルトイン式のガスコンロＧが、キッチンカウンターＫのカウンタトップＫａに形成した矩形状の開口２（図７参照）に挿入される状態で装着されて加熱調理設備が構成されている。
【００６４】
本実施形態においては、コンロバーナ１として、３つのコンロバーナ１Ｌ、１Ｍ、１Ｒが横方向に並べて備えられている。
そして、ガスコンロＧとして、３つのコンロバーナ１Ｌ〜１Ｒのうちの、一端側のコンロバーナとしての左端のコンロバーナ１Ｌの最大火力が、他端側のコンロバーナとしての右端のコンロバーナ１Ｒの最大火力よりも大きくなるように構成された左端高火力型コンロＧＬ（図１参照）と、３つのコンロバーナ１Ｌ〜１Ｒのうちの、一端側のコンロバーナとしての右端のコンロバーナ１Ｒの最大火力が、他端側のコンロバーナとしての左端のコンロバーナ１Ｌの最大火力よりも大きくなるように構成された右端高火力型コンロＧＲ（図２参照）とがある。
【００６５】
ちなみに、本実施形態においては、左端高火力型コンロＧＬにおける中間のコンロバーナ１Ｍの最大火力が、左端のコンロバーナ１Ｌと同じ火力となるように構成され、右端高火力型コンロＧＲにおける中間のコンロバーナ１Ｍの最大火力が、右端のコンロバーナ１Ｒと同じ火力となるように構成されているが、中間のコンロバーナ１Ｍの最大火力は、種々変更できるものである。
【００６６】
また、カウンタトップＫａに形成される開口２が、カウンタトップＫａの横幅方向において、３つのコンロバーナ１Ｌ〜１Ｒのうちの最大火力が一端側のコンロバーナよりも低い他端側のコンロバーナが存在する側に偏った位置に形成されている。
すなわち、キッチンカウンターＫとして、開口２がカウンタトップＫａの横幅方向において右側に偏った位置に形成された左端高火力型用カウンターＫＬ（図１参照）と、開口２がカウンタトップＫａの横幅方向において左側に偏った位置に形成された右端高火力型用カウンターＫＲ（図２参照）とがある。
【００６７】
そして、左端高火力型コンロＧＬを左端高火力型用カウンターＫＬに装着した状態や、右端高火力型コンロＧＲを右端高火力型用カウンターＫＲに装着した状態においては、３つのコンロバーナ１Ｌ〜１Ｒのうちの最大火力が高火力となる一端側のコンロバーナとそれに対応する側のカウンタトップＫａの横端部との間隔ＬＨが、３つのコンロバーナ１Ｌ〜１Ｒのうちの最大火力が一端側のコンロバーナよりも低い他端側のコンロバーナとそれに対応する側のカウンタトップＫａの横端部との間隔Ｌｈよりも大きくなるように構成されている。
つまり、３つのコンロバーナ１Ｌ〜１Ｒのうちの最大火力が高火力となる一端側のコンロバーナとそのコンロバーナに隣接するカウンタトップＫａの横端部との間隔ＬＨが、３つのコンロバーナ１Ｌ〜１Ｒのうちの最大火力が一端側のコンロバーナよりも低い他端側のコンロバーナとそのコンロバーナに隣接するカウンタトップＫａの横端部との間隔Ｌｈよりも大きくなっている。
【００６８】
したがって、左端高火力型コンロＧＬを装着した左端高火力型用カウンターＫＬや、右端高火力型コンロＧＲを装着した右端高火力型用カウンターＫＲは、建物の壁部がその両横側のいずれの側に位置しても、建物の壁部を過熱することを回避できるものとなる。
つまり、キッチンカウンターＫの設置箇所が、左右いずれの側に壁部が存在する場合であっても、使用者の好みに合わせて、左端高火力型コンロＧＬを装着した左端高火力型用カウンターＫＬ及び右端高火力型コンロＧＲを装着した右端高火力型用カウンターＫＲを選択して設置できるものとなる。
【００６９】
以下、左端高火力型コンロＧＬ及び左端高火力型用カウンターＫＬを代表にして、ガスコンロＧ及びキッチンカウンターＫについて説明を加える。
尚、以下の説明において、３つのコンロバーナ１Ｌ〜１Ｒを区別する必要がないときには、単に、コンロバーナ１と記載し、左端高火力型コンロＧＬと右端高火力型コンロＧＲとを区別する必要がないときには、単に、ガスコンロＧと記載し、さらに、左端高火力型用カウンターＫＬと右端高火力型用カウンターＫＲとを区別する必要が無いときには、単に、キッチンカウンターＫと記載する。
【００７０】
図３及び図４に示すように、ガスコンロＧは、コンロバーナ１を備える本体部Ｇ１、天板Ｇ２、及び、操作部Ｇ３を主要部として構成されている。
本体部Ｇ１が、カウンタトップＫａの開口２に挿入される状態で、且つ、その上端に備える鍔部３がカウンタトップ側に係止支持される状態で、カウンタトップＫａに組み付けられている。
天板Ｇ２が、カウンタトップＫａに組み付けられた本体部Ｇ１を覆い且つ周縁部をカウンタトップＫａの上面に接当させる状態に装着され、また、天板Ｇ２の上部には、五徳Ｄが装備されている。
【００７１】
本体部Ｇ１は、図８にも示すように、底壁及び側壁を備えた金属製の有底筒状のケーシング４の内部に、コンロバーナ１等の機器類を収納して構成され、そのケーシング４の上端に、そのケーシング４と一体形成される状態で鍔部３が設けられている。
【００７２】
ケーシング４は、上方側部分Ｕが下方側部分４Ｄよりも、平面視形状が大きくなるように形成されており、図３及び図８に示すように、上方側部分４Ｕが、下方側部分４Ｄよりも前方側に大きく張り出す張り出し部４Ｕｈを前方側に備えるように構成されている。
そして、上方側部分４Ｕの張り出し部４Ｕｈの下面を利用して、後述の如く、ケーシング４がキッチンカウンターＫに固定されるようになっている。
【００７３】
本実施形態においては、本体部Ｇ１が、カウンタトップＫａの前縁よりも後方側に大きく引退した位置に装着され、天板Ｇ２が、本体部Ｇ１の装着箇所を覆う状態で装着されており、カウンタトップＫａにおける天板Ｇ２よりも前側部分が、調理作業面を構成するようになっている。
【００７４】
操作部Ｇ３は、横長の帯板状に形成されて、その上面部に、３つのコンロバーナ１Ｌ〜１Ｒの点火及び消火、並びに、火力調整等の操作を行う操作スイッチ類を備えている。
そして、上述の如く、本体部Ｇ１や天板Ｇ２がカウンタトップＫａの前縁よりも後方側に引退した位置に装着されるのに対して、操作部Ｇ３は、キッチンカウンターＫの前縁側部分に装着されている。
【００７５】
具体的には、操作部Ｇ３が、カウンタトップＫａの下方側に収納される収納位置とカウンタトップＫａの前方側に突出する突出位置とに位置変更自在に支持されて、突出位置に位置された状態において、３つのコンロバーナ１Ｌ〜１Ｒの点火及び消火、並びに、火力調整等の操作を行えるようになっている。
尚、例示はしないが、収納位置に位置する操作部Ｇ３を後方側に少し押し込み操作することにより、操作部Ｇ３を突出位置に自動的に位置変更操作し、突出位置に位置する操作部Ｇ３を収納位置に押し込み操作することにより、収納位置に自動的に保持する操作部保持機構が設けられている。
【００７６】
また、図１に示すように、キッチンカウンターＫの前面における操作部Ｇ３の横側箇所には、消火ボタンＢが装備されており、操作部Ｇ３を収納位置に収納してコンロバーナ１を燃焼させている状態において、コンロバーナ１を消火するときに、この消火ボタンＢを押し操作することにより、コンロバーナ１を消火させることができるようになっている。
ちなみに、消火ボタンＢが押し操作されると、３つのコンロバーナ１Ｌ、１Ｍ、１Ｒのうちの点火しているものが全て消火されることになる。
【００７７】
本体部Ｇ１の鍔部３は、図７及び図８に示すように、本体部Ｇ１の前側に延びる前側の鍔部分３Ｆ、本体部Ｇ１の後側に延びる後側の鍔部分３Ｂ、本体部Ｇ１の左側に延びる左側の鍔部分３Ｌ、及び、本体部Ｇ１の右側に延びる右側の鍔部分３Ｒからなる。
これら鍔部分３Ｆ〜３Ｒは、本体部Ｇ１の同じ高さに形成されている。
【００７８】
そして、本体部Ｇ１の鍔部３を含めた前後幅及び横幅が、開口２の前後幅及び横幅よりも小さく形成され、鍔部３を載置支持する載置枠５が、開口２の縁部に係止支持される状態で設けられている。
そして、鍔部３が、開口２の縁部にて係止支持された載置枠５の鍔部載置面Ｓに載置されることにより、カウンタトップ側に係止支持されるように構成されている。
【００７９】
開口２の縁部が、カウンタトップＫａの上面よりも下方側に位置する段部状に形成されており、載置枠５が、段部状の縁部に載置されるようになっている。
本実施形態においては、段部状の縁部として、図３、図４、及び、図７に示すように、開口２の前縁に沿って形成される前方側の縁部ＥＦ、開口２の後縁に沿って形成される後方側の縁部ＥＢ、開口２の左縁に沿って形成される左方側の縁部ＥＬ、及び、開口２の右縁に沿って形成される右方側の縁部ＥＲが設けられている。ちなみに、これら縁部ＥＦ〜ＥＲの上面の高さは同じ高さである。
【００８０】
載置枠５が、図７に示す如く、カウンタトップＫａの前後幅方向に伸びる長尺状に形成されて、その前後両端が開口２の前方側及び後方側の縁部ＥＦ、ＥＢに係止支持されるように載置される左右一対の縦枠部分５Ａ、及び、カウンタトップＫａの横幅方向に伸びる長尺状に形成されて、その左右端部が左右一対の縦枠部分５Ａに係止支持されるように載置され、且つ、開口２の前方側の縁部ＥＦに隣接する箇所に配置される横枠部分５Ｂを備えるように構成されている。
ちなみに、本実施形態においては、開口２の前方側の縁部ＥＦに隣接する箇所に横枠部分５Ｂを位置させる状態が、開口２の前方側の縁部ＥＦに隣接する設定組付位置に横枠部分５Ｂを位置させる状態に相当する。
【００８１】
そして、鍔部３における本体部Ｇ１の左右に位置する左右鍔部分３Ｌ、３Ｒが、左右一対の縦枠部分５Ａに載置され、鍔部３における本体部Ｇ１の前後に位置する前後鍔部分３Ｆ、３Ｂのうちの、横枠部分５Ｂが存在する側の前方側の鍔部分３Ｆが、横枠部分５Ｂに載置され、横枠部分５Ｂが存在しない側の後方側の鍔部分３Ｂが、後方側の縁部ＥＢに載置されるように構成されている。
【００８２】
左右の縦枠部分５Ａは、同じ仕様であって、図１１及び図１２に示すように、断面形状逆Ｕ字状の主体部分Ａ１の両端に、前後の縁部ＥＦ、ＥＢに係止支持されるように載置される板状の端部部分Ａ２を備えるものであり、主体部分Ａ１の上面にて、鍔部載置面Ｓが形成されている。
また、主体部分Ａ１が、端部部分Ａ２に対して、その端部部分Ａ２の板厚部分だけ下方に位置するよう形成されており、主体部分Ａ１の上面にて形成される鍔部載置面Ｓが、前後や左右の縁部ＥＦ〜ＥＲの上面の高さと同じ高さになるように構成されている。
【００８３】
横枠部分５Ｂは、図１３及び図１４に示すように、断面形状逆Ｕ字状の主体部分Ｂ１の両端に、左右の縦枠部分Ａ１に係止支持されるように載置される板状の端部部分Ｂ２を備えるものであり、主体部分Ｂ１の上面にて、鍔部載置面Ｓが形成されている。
また、主体部分Ｂ１が、端部部分Ｂ２に対して、その端部部分Ｂ２の板厚部分だけ下方に位置するよう形成されており、主体部分Ｂ１の上面にて形成される鍔部載置面Ｓが、前後や左右の縁部ＥＦ〜ＥＲの上面の高さと同じ高さとなるように構成されている。
【００８４】
横枠部分５Ｂの端部部分Ｂ２には、下向きの舌片６が切り出し形成され、縦枠部分５Ａの主体部分Ａ１における開口２の前縁側に相当する部分には、横枠部分５Ｂの舌片６が嵌合する嵌合孔７が形成されている。
尚、縦枠部分５Ａは、開口２における左方側箇所に配置する場合と右方側箇所に配置する場合とがあり、且つ、横枠部分５Ｂが縦枠部分５Ａに載置された状態において、横枠部分５Ｂの舌片６が縦枠部分５Ａの横幅方向における中央よりも端部側に位置するため、縦枠部分５Ａには、嵌合孔７が左右一対形成されている。
【００８５】
そして、本実施形態においては、左右一対の縦枠部分５Ａに形成された嵌合孔７と横枠部分５Ｂに形成された舌片６とが、左右一対の縦枠部分５Ａが前後適正姿勢で開口２の縁部に装着された場合には、設定組付位置に位置させた横枠部分５Ｂの両端部を左右一対の縦枠部分５Ａに載置するときに係合状態となり、左右一対の縦枠部分５Ａが前後反転姿勢で開口２の縁部に装着された場合には、設定組付位置に位置させた横枠部分５Ｂの両端部を左右一対の縦枠部分５Ａに載置するときに非係合状態となる載置牽制用係合部として機能するように構成されている。
【００８６】
図１１及び図１２に示す縦枠部分５Ａは、左端高火力型コンロＧＬを左端高火力型用カウンターＫＬに装着する際に使用するものであり、その上面には、「Ｌ」のマークが刻印されている。
そして、図１５及び図１６に示す縦枠部分５Ａは、右端高火力型コンロＧＲを右端高火力型用カウンターＫＲに装着する際に使用するものであり、その上面には、「Ｒ」のマークが刻印されている。
つまり、左端高火力型コンロＧＬに使用する縦枠部分５Ａと横枠部分５Ｂとから、左端高火力型用の載置枠５Ｌが構成され、また、右端高火力型コンロＧＲに使用する縦枠部分５Ａと横枠部分５Ｂとから、右端高火力型用の載置枠５Ｒが構成されている。
【００８７】
左端高火力型コンロＧＬに使用する縦枠部分５Ａと、右端高火力型コンロＧＲに使用する縦枠部分５Ａとは、同様に構成されるものであるが、誤設置防止のために、一部が異なる状態に構成されている。
すなわち、左端高火力型コンロＧＬに使用する縦枠部分５Ａにおいては、図１１及び図１２に示すように、主体部分Ａ１の左右の縦壁部ＡＬ、ＡＲのうちの左側の縦壁部ＡＬが、右側の縦壁部ＡＲよりも長くなる状態に形成されて、その先端部にて牽制用凸部Ｆａが構成されている。
これに対して、右端高火力型コンロＧＲに使用する縦枠部分５Ａにおいては、図１５及び図１６に示すように、主体部分Ａ１の左右の縦壁部ＡＬ、ＡＲのうちの右側の縦壁部ＡＲが、左側の縦壁部ＡＬよりも長くなる状態に形成されて、その先端部にて牽制用凸部Ｆａが構成される。
【００８８】
そして、図４〜図６及び図２７に示すように、左端高火力型用カウンターＫＬにおける開口２の右側の縁部ＥＲよりも内方側の下方箇所には、左端高火力型コンロ用の載置枠５Ｌにおける縦枠部分５Ａが開口２の縁部に装着されるのを許容しかつ右端高火力型コンロ用の載置枠５Ｒにおける縦枠部分５Ａが開口２の縁部に装着されるのを牽制用凸部Ｆａとの接当により牽制する牽制用当たり部Ｆｂが設けられている。
つまり、右端高火力型コンロ用の載置枠５Ｒを左端高火力型用カウンターＫＬに装着しようとすると、牽制用凸部Ｆａが牽制用当たり部Ｆｂに接当して、右側の縦枠部分５Ａが傾くことになり、本体部Ｇ１を装着できないことになる。
【００８９】
また、図２８に示すように、右端高火力型用カウンターＫＲにおける開口２の左側の縁部ＥＬよりも内方側の下方箇所には、右端高火力型コンロ用の載置枠５Ｒにおける縦枠部分５Ａが開口２の縁部に装着されるのを許容しかつ左端高火力型コンロ用の載置枠５Ｌにおける縦枠部分５Ａが開口２の縁部に装着されるのを牽制用凸部Ｆａとの接当により牽制する牽制用当たり部Ｆｂが設けられている。
つまり、左端高火力型コンロ用の載置枠５Ｌを右端高火力型用カウンターＫＲに装着しようとすると、牽制用凸部Ｆａが牽制用当たり部Ｆｂに接当して、左側の縦枠部分５Ａが傾くことになり、本体部Ｇ１を装着できないことになる。
【００９０】
したがって、牽制用凸部Ｆａと牽制用当たり部Ｆｂとの接当により、左端高火力型コンロＧＬの右端高火力型用カウンターＧＲへの装着を牽制し、かつ、右端高火力型コンロＧＲの左端高火力型用カウンターＧＬへの装着を牽制して、左端高火力型用カウンターＫＬには左端高火力型コンロＧＬが装着され、かつ、右端高火力型用カウンターＫＲには右端高火力型コンロＧＲが装着される適正な装着状態を的確に現出できるように構成されている。
【００９１】
すなわち、本実施形態においては、左端高火力型コンロＧＬの左端高火力型用カウンターＫＬへの装着を許容しかつ右端高火力型用カウンターＫＲへの装着を牽制し、且つ、右端高火力型コンロＧＲの右端高火力型用カウンターＫＲへの装着を許容しかつ左端高火力型用カウンターＫＬへの装着を牽制する誤設置防止用牽制手段Ｆが、左端高火力型コンロ用の載置枠５Ｌの左端高火力型用カウンターＫＬへの装着を許容しかつ右端高火力型用カウンターＫＲへの装着を牽制し、且つ、右端高火力型コンロ用の載置枠５Ｒの右端高火力型用カウンターＫＲへの装着を許容しかつ左端高火力型用カウンターＫＬへの装着を牽制する手段として構成されるものであり、具体的には、誤設置防止用牽制手段Ｆが、牽制用凸部Ｆａと牽制用当たり部Ｆｂとから構成されている。
【００９２】
上述の如く、開口２の縁部、つまり、前方側の縁部ＥＦ、後方側の縁部ＥＢ、左方側の縁部ＥＬ、及び、右方側の縁部ＥＲが、カウンタトップＫａの上面よりも下方側に位置する段部状に形成されているため、天板Ｇ２が、開口２に嵌合される状態で装着されて、その上面がカウンタトップＫａの上面と同じ高さになるように構成さている。
【００９３】
天板Ｇ２は、図１７〜図２０に示すように、ガラスプレート１０、そのガラスプレート１０の下面側に位置する金属製の載置プレート１１、及び、周縁枠１２を主要部として構成されている。
周縁枠１２は、図２０に示すように、断面形状がＴ字状であり、上部の外側延出部分が、パッキン１３を介してカウンタトップＫａの上面に接当するカウンタトップ接当部分１２ａとして構成され、上部の内側延出部分が、ガラスプレート１０の上面に接当するガラスプレート接当部分１２ｂとして構成されている。
【００９４】
周縁枠１２の内面側部分には、図２０に示すように、載置プレート１１を載置支持するガラスプレート固定具１４が、周縁枠１２の長手方向の複数箇所に設けられている。
このガラスプレート固定具１４は、図２１に示すように、周縁枠１２の長手方向に沿って伸びる長尺状でかつ緩やかに弓形状に湾曲する縦板部分１４ａ、及び、この縦板部分１４ａの両端部から水平方向に突出する支持板部分１４ｂを主要部として構成され、縦板部分１４ａには、周縁枠１２の内面側部に形成した係合凹部１２ｃに係合する係合凸部１４ｃが、打ち出し形成されている。
【００９５】
したがって、ガラスプレート固定具１４が、縦板部分１４ａの係合凸部１４ｃを周縁枠１２の係合凹部１２ｃに係合させた状態で、周縁枠１２の内面側部に装着されることになり、そして、ガラスプレート１０及び載置プレート１１が、ガラスプレート固定具１４の支持板部分１４ｂと周縁枠１２のガラスプレート接当部分１２ｂとの間に挟まれる状態で、周縁枠１２に支持されるように構成されている。
尚、図２０においては記載を省略するが、周縁枠１２、ガラスプレート固定具１４、ガラスプレート１０の端面部分、及び、載置プレート１１の端面部分にて囲まれる空間部分には、シリコンが充填されるようになっている。
【００９６】
また、天板Ｇ２には、図１７及び図１８に示すように、コンロバーナ１を挿通する開口部が形成され、その開口部には、バーナリング１５が装着されている。
このバーナリング１５は、その下面側においてはコンロバーナ１と係合し、かつ、その上面側においては五徳Ｄを位置決め保持するように構成されている。
【００９７】
キッチンカウンターＫは、図１及び図２に示すように、下方枠部分Ｄ１と上方枠部分Ｄ２とが段積みされた状態に構成され、上方枠部分Ｄ２の上部に、カウンタトップＫａが装着されている。
上方枠部分Ｄ２は、図３〜図５に示すように、左右の側板１６Ａ、背板１６Ｂ、底板１６Ｃ、及び、底板１６Ｃから立設された仕切り板１６Ｄを備え、また、前面部には、左右の開閉扉１６Ｅ、１６Ｆ、及び、それら開閉扉１６Ｅ、１６Ｆの上方に位置する前側板１６Ｇを備えている。
【００９８】
仕切り板１６Ｄは、上方枠部分Ｄ２の内部空間を左右に仕切るものであって、本実施形態においては、内部空間を左右が不均一となる状態で仕切るように配置されている。そして、左右の開閉扉１６Ｅ、１６Ｆが、仕切り板１６Ｄの仕切り位置に合わせた大きさに形成されている。
尚、例示図では、左端高火力型用カウンターＫＬでは、右方側の方を左方側よりも大きな空間とするように仕切り板１６Ｄが配置され、右端高火力型用カウンターＫＲでは、左方側の方を右方側よりも大きな空間とするように仕切り板１６Ｄが配置されている。
【００９９】
上方枠部分Ｄ２の内部の上方側箇所で、且つ、本体部Ｇ１のケーシング４における上方側部分４Ｕの張り出し部４Ｕｈの下方に相当する箇所に、キッチンカウンターＫの横幅方向に伸びる木製の連結板１７が設けられている。
この連結板１７は、左右の側板１６Ａに亘る大きさに形成され、また、ケーシング４の上方側部分４Ｕの張り出し部４Ｕｈの下方に位置する部分の高さが、ケーシング４の上方側部分４Ｕの底面が位置する高さよりも少し低い高さとなり、かつ、左右の端部側部分の高さが、カウンタトップＫａの底面に接触する高さとなるように構成されている。
【０１００】
そして、連結板１７は、左右の端部側部分が左右の側板１６Ａに接続され、かつ、左右の端部側部分の上面が、カウンタトップＫａの底面に接続されて、上方枠部分Ｄ２の強度部材として、機能するように構成されている。
尚、連結板１７とケーシング４の上方側部分４Ｕの張り出し部４Ｕｈの底面との間には、シール材１８が配設されている（図３参照）。
【０１０１】
連結板１７と前側板１６Ｇとの間に、左右の側板１６Ａに亘る大きさの薄板状の前遮蔽板１９が配設され、その遮蔽板１９よりも上方の空間が、上述した操作部Ｇ３や、その操作部Ｇ３と本体部Ｇ１とを接続する電線類等を配設する収納空間として機能するように構成されている。
この前遮蔽板１９は、後端側が連結板１７の前面の凹溝に嵌合し、且つ、前端側が前側板１６Ｇの裏面側に設けられた枠体に着脱自在にビス等により連結された状態で設けられて、着脱できるように構成されており、後述の如く、ガスコンロＧの本体部Ｇ１や天板Ｇ２を装着する作業を行うときには、取り外されることになる。
【０１０２】
連結板１７の下方部と背板１６Ｂとの間には、本体部Ｇ１の下方側箇所を覆う後遮蔽板２０が設けられている。
この後遮蔽板２０は、左右の側板１６Ａに亘る大きさに形成されて、両端部が左右の側板１６Ａに着脱自在に接続されており、後述の如く、ガスコンロＧの本体部Ｇ１や天板Ｇ２を装着する作業を行うときには、取り外されることになる。
【０１０３】
ちなみに、上方枠部分Ｄ２の内部の上方側空間、つまり、ガスコンロＧが配設されることになる上方側空間が、前遮蔽板１９、連結板１７、及び、後遮蔽板２０にて、下方側空間と遮蔽されるため、開閉扉１６Ｅ、１６Ｆを開閉したときに、上方側空間内に空気が出入することが抑制されて、コンロバーナ１の燃焼に悪影響を与えることが回避されるようになっている。
【０１０４】
本実施形態においては、ガスコンロＧの本体部Ｇ１を開口２の縁部ＥＬ、ＥＲ、ＥＦ、ＥＢからの浮き上がりを阻止するように止着する本体部止着手段Ｐ、及び、天板Ｇ２をカウントトップＫａに押圧するように止着する天板止着手段Ｑが装備されており、以下、本体部止着手段Ｐ、及び、天板止着手段Ｑについて説明する。
【０１０５】
先ず、本体部止着手段Ｐについて説明する。
図３及び図５に示すように、キッチンカウンターＫの内部に配置される連結板１７と本体部Ｇ１のケーシング４における上方側部分４Ｕの張り出し部４Ｕｈの底面とを接続するＬ字状の固定金具２１が、キッチンカウンターＫの横幅方向の３箇所に設けられている。
【０１０６】
固定金具２１は、その下方部が連結板１７の前面に当て付けた状態で、ビス２２にて連結板１７に締め付け固定され、そして、その上方部が張り出し部４Ｕｈの底面に当て付けた状態で、ビス２３にて張り出し部４Ｕｈの底壁に締め付け固定されている。
つまり、張り出し部４Ｕｈは金属製であるため、その底壁に形成されたビス孔２４に、ビス２３が螺合されるようになっている。
【０１０７】
ちなみに、固定金具２１を設置する手順としては、先ず、その下方部を連結板１７に締め付け固定し、次に、その上方部を張り出し部４Ｕｈに締め付け固定する手順が用いられることになり、このような手順を用いることにより、上方部を張り出し部４Ｕｈに締め付け固定する際に、ケーシング４を下方側に引っ張り操作できるため、本体部Ｇ１の鍔部３を載置枠５や開口２の後方の縁部ＥＢに圧接できることになる。
【０１０８】
図３、図７及び図１０に示すように、カウンタトップＫａの開口２における後方側の縁部ＥＢの下面に当て付ける固定用係止部材２５が、キッチンカウンターＫの横幅方向の２箇所に設けられている。
この固定用係止部材２５は、図２５及び図２６に示すように、キッチンカウンターＫの前後幅方向に沿って伸びる左右の縦壁部２５Ａと、その両縦壁部２５Ａの長手方向の中間部における上部同士を接続する接続部２５Ｂとからなり、縦壁部２５Ａの先端部が、係止作用部として機能するように構成されている。
【０１０９】
縦壁部２５Ａの後端部には、揺動支点形成用の切欠き部２６が先端側に向かって凹入する状態に形成され、また、接続部２５Ｂには、ロック用ボルト２７の螺合孔２８が形成されている。
【０１１０】
この固定用係止部材２５をその長手方向に沿ってスライド自在に且つ上下揺動自在に支持する支持枠２９が、ケーシング４の上部開口の近くに設けた支持台３０（図１０参照）にボルト固定される状態で設けられている。
支持枠２９は、側面視形状が逆Ｕ字状に形成されるものであって、その先端部には、支持台３０に対する接続部２９Ａを備え、その後端部には、固定用係止部材２５における揺動支点形成用の切欠き部２６に係合する揺動支点形成用の突起２９Ｂを備え、さらに、上壁部には、ロック用ボルト２７が上下に貫通する挿通孔３１が、縦壁部２５Ａの長手方向に沿う長孔状に形成されている。
【０１１１】
そして、固定用係止部材２５が、切欠き部２６に突起２９Ｂを係合させ、かつ、接続部２５Ｂを支持枠２９の内部に位置させる状態に配置され、ロック用ボルト２７が、支持枠２９の挿通孔３１を上方から下方に向けて貫通して、その先端を固定用係止部材２５の螺合孔２８に螺合させる状態で配置されている。
【０１１２】
したがって、本体部Ｇ１のケーシング４の上部開口を通して、ロック用ボルト２７の頭部を、キッチンカウンターＫの前後幅方向に沿って移動させることにより、固定用係止部材２５を、キッチンカウンターＫの前後幅方向に沿ってスライド操作でき、また、ロック用ボルト２７を正逆に回転操作することにより、突起２９Ｂを支点として、固定用係止部材２５を上下に揺動操作できるように構成されている。
【０１１３】
ちなみに、固定用係止部材２５の設置手順は、本体部Ｇ１を開口２に装着する際には、固定用係止部材２５をケーシング４の内方に引退させておき、本体部Ｇ１が開口２に装着された後において、固定用係止部材２５を十分に下方側に揺動させた状態で、ロック用ボルト２７をキッチンカウンターＫの後部側に向けてスライド移動させ、その後、固定用係止部材２５を上方に向けて揺動させるように、ロック用ボルト２７を回転操作することになる。
【０１１４】
以上の通り、本実施形態の本体部止着手段Ｐは、本体部Ｇ１の前側部分をＬ字状の固定金具２１にて止着し、且つ、本体部Ｇ１の後側部分を固定用係止部材２５にて止着するように構成されている。
そして、Ｌ字状の固定金具２１を装着する作業は、カウンタトップＫａの下方で行うことになるものの、その固定金具２１を装着する箇所が、キッチンカウンターＫの内部空間のうちの前方側部分であるため、見やすく、手が届き易い箇所であり、固定金具２１を装着する作業を良好に行える。
また、固定用係止部材２５を装着する作業は、カウンタトップＫａの上方側からケーシング４の上部開口を通して、ロック用ボルト２７を操作することにより行えるため、その作業を良好に行える。
【０１１５】
次に、天板止着手段Ｑについて説明する。
図１８、図１９、及び、図２０に示すように、天板Ｇ２の下面側には、頭付きの雄ネジ部材３２が、頭部を載置プレート１１の内方側に位置させ且つ棒状ネジ部を載置プレート１１から突出させた状態に、載置プレート１１に取付けられている。
つまり、天板Ｇ２には、下方に突出する固定用の雄ネジ部材３２が設けられている。
【０１１６】
この雄ネジ部材３２は、天板Ｇ２が開口２に嵌合された状態において、載置枠５における横枠部分５Ｂの両端部や中間部に対応する位置、及び、縦枠部分５ＡにおけるカウンタトップＫａの奥側に相当する端部に対応する位置に位置させた状態で、天板Ｇ２の周縁部に沿って５つ設けられ、そして、図７及び図１１〜図１４に示すように、載置枠１５の横枠部分５Ｂや縦枠部分５Ａの雄ネジ部材３２に対応する位置には、雄ネジ部材３２を挿通させる挿通孔３３が形成されている。
【０１１７】
また、図３、図５及び図９に示すように、天板Ｇ２が開口２に嵌合された状態において挿通孔３３より突出する雄ネジ部材３２の先端部に螺合させる蝶ナット式の雌ネジ部材３４が設けられている。
したがって、天板Ｇ２を装着する際に、雄ネジ部材３２が載置枠５の挿通孔３３を挿通され、その状態において、雌ネジ部材３４を締め付けることにより、載置枠５に対して雄ネジ部材３２を引っ張り操作して、天板Ｇ２を下方側に引っ張り操作した状態に装着できるようになっている。
【０１１８】
ちなみに、本実施形態においては、左右一対の縦枠部分５Ａが前後反転姿勢で開口２の縁部に装着され、かつ、横枠部分５Ｂが、設定組付位置とは反対側に相当する開口２の後方側の縁部に隣接する位置にて、前後反転姿勢の左右一対の縦枠部分５Ａにて載置される前後反転組付状態においても、載置牽制用係合部としての舌片６と嵌合孔７とが係合状態となるように構成されるものであるが、載置枠５に形成された挿通孔３３が、左右一対の縦枠部分５Ａ及び横枠部分５Ｂの前後反転組付状態においては、突起部としての雄ネジ部材３２が挿入不能となり、且つ、左右一対の縦枠部分５Ａが前後適正姿勢で開口２の縁部に装着され、かつ、横枠部分５Ｂが、設定組付位置にて、前後適正姿勢の左右一対の縦枠部分５Ａにて載置される適正組付状態においては、突起部としての雄ネジ部材３２が挿入する状態で形成される挿入孔として作用することになる。
したがって、天板Ｇ２の雄ネジ部材３２が載置枠５の挿通孔３３に挿入不能となることをもって、載置枠５が前後反転組付状態であることを認識させることができるように構成されている。
【０１１９】
このように、載置枠５が前後反転組付状態であることを認識させることができるため、載置枠５を適正組付状態にて組み付ける状態に装着し直すことにより、上述した誤設置防止用牽制手段Ｆの牽制作用を適切に作用させることができるようになっている。
つまり、誤設置防止用牽制手段Ｆは、上述の説明から明らかな如く、牽制用凸部Ｆａが、装着が牽制されるべき前記左端高火力型用カウンター又は前記右端高火力型用カウンターに対して、左右一対の縦枠部分５Ａが前後反転姿勢で開口２の縁部に装着された場合には、牽制用当たり部Ｆｂと接当しないように構成されることになるため、載置枠５が前後反転組付状態の場合には、牽制作用を適切に発揮しないことになるが、載置枠５が前後反転組付状態であることを認識させて、載置枠５を適正組付状態にて組み付ける状態に装着し直すようにすることができるため、誤設置防止用牽制手段Ｆの牽制作用を適切に作用させることができるのである。
【０１２０】
図３、図７及び図８に示すように、天板Ｇ２の後端側で且つ横幅方向の中央側から下方に向けて突出する状態で天板Ｇ２から連設した被係止片３５を係止して、天板Ｇ２を下方側に引っ張り移動する回動式の係止体３６が設けられている。
この係止体３６は、図２２〜図２４に示すように、ケーシング４の底壁から上方に延びる状態で設けられた筒状の支持枠体３７の上部に、横軸心Ｘ周りで回動自在に枢支されて、被係止体３５から離間する待機位置（図２２参照）と被係止体３５を係止して下方側に押圧する係止位置（図２３参照）とに回動されるように構成され、且つ、捩りコイル式のスプリング３８によって、待機位置に復帰付勢されている。
【０１２１】
係止体３６を待機位置と係止位置とに回動操作する棒状体３９が、支持枠体３７の上端側に設けた雌ネジ部材４０に螺進移動自在に螺合し、且つ、下端側の挿通支持部４１に回転自在及び長手方向に移動自在に支持された状態で設けられている。
そして、棒状体３９を正逆に回転操作して螺進移動させることにより、棒状体３９の先端部にて係止体３６の被操作部３６Ａを押し操作して、係止体３６を待機位置と係止位置とに回動操作するように構成されている。
【０１２２】
また、棒状体３９の下端部の操作作用部３９Ａが、ケーシング４の底壁に形成した操作用開口部４２に臨むように位置されて、棒状体３９をケーシング４の外方より回転操作できるように構成されている。
ちなみに、操作作用部３９Ａの端面には、マイナスドライバーやプラスドライバー等の回転操作具が嵌合する嵌合部が形成されて、棒状体３９を大きな力で回転操作できるように構成されている。
【０１２３】
以上の通り、本実施形態の天板止着手段Ｑは、天板Ｇ２の前側部分及び横側部分については天板Ｇ２の下方から突出する状態で設けた雄ネジ部材３２を用いて止着し、且つ、天板Ｇ２の後側部分については係止体３６を用いて止着するように構成されている。
そして、雄ネジ部材３２に雌ネジ部材３４を装着する作業は、カウンタトップＫａの下方で行うことになるものの、本体部Ｇ１の前方や横側方であるため、見やすく、手が届き易い箇所であり、雌ネジ部材３４を装着する作業を良好に行える。
また、係止体３６を回動操作する作業は、カウンタトップＫａの下方で行うものの、本体部Ｇ１の底壁近くで行えるため、その作業を良好に行える。
【０１２４】
〔別実施形態〕
次に別実施形態を説明する。
（イ）上記実施形態においては、３つのコンロバーナを横幅方向に並べた状態でビルトインコンロに備えさせる場合を例示したが、４つ以上のコンロバーナを横幅方向に並べた状態で備えさせる形態や、一対のコンロバーナを横幅方向に並べた状態で備えさせる形態で実施してもよい。
【０１２５】
（ロ）上記実施形態では、誤設置防止用牽制手段を、載置枠を用いて構成する場合を例示したが、例えば、本体部の鍔部を、開口の縁部に、直接的に載置させるように構成し、そして、その鍔部に、牽制用凸部を形成する等、本発明は、載置枠を備えない形態でも実施できるものである。
【０１２６】
（ハ）上記実施形態では、鍔部を含めた本体部の前後幅及び横幅が、開口の前後幅及び横幅よりも小さく形成される場合を例示したが、鍔部を含めた本体部の横幅を、開口の横幅よりも小さく形成して、鍔部を含めた本体部の前後幅を、開口の前後幅よりも大きく形成して、鍔における本体部の前後に位置する前後鍔部分を、開口の前後の縁部に、直接的に載置する形態で実施してもよい。
【０１２７】
（ニ）上記実施形態では、鍔部を含めた本体部の前後幅を、開口の前後幅よりも小さく形成する場合において、開口の前方側の縁部に隣接する位置を設定組付位置として、横枠部分を組み付ける場合を例示したが、開口の後方側の縁部に隣接する位置を設定組付位置として、横枠部分を組み付ける形態で実施してもよい。
【０１２８】
（ホ）上記実施形態においては、開口の縁部を段部状に形成して、その段部状の縁部に、載置枠や鍔部を載置する場合を例示したが、開口の縁部として、カウンタトップの上面を用いる形態で実施してもよい。
【０１２９】
（ヘ）上記実施形態では、天板の下方に突出する突起部として、天板を本体部に止着する雄ネジ部材を兼用する場合を例示したが、専用の突起部を設けて実施してもよい。
【０１３０】
（ト）上記実施形態では、本体部と操作部とが別体に構成されて、本体部がカウンタトップの奥側に配置され、操作部がカウンタトップの前側に配置されるビルトインコンロを例示したが、本体部と操作部とが一体に構成されるビルトインコンロを用いてもよく、そして、キッチンカウンターの構成は、ビルトインコンロの構成に合わせて各種変更できる。
【符号の説明】
【０１３１】
１        コンロバーナ
２        開口
３        鍔部
３Ｆ、３Ｂ前後鍔部分
３Ｌ、３Ｒ左右鍔部分
５        載置枠
５Ａ      縦枠部分
５Ｂ      横枠部分
６、７    載置牽制用係合部
３２      突起部
３３      挿入孔
Ｆ        誤設置防止用牽制手段
Ｆａ      牽制用凸部
Ｆｂ      牽制用当たり部
Ｇ        ビルトインコンロ
Ｇ１      本体部
Ｇ２      天板
ＧＬ      左端高火力型コンロ
ＧＲ      右端高火力型コンロ
Ｋ        キッチンカウンター
Ｋａ      カウンタトップ
ＫＬ      左端高火力型用カウンター
ＫＲ      右端高火力型用カウンター
ＬＨ      間隔
Ｌｈ      間隔
【図１】
0005677032.tif 000002
【図２】
0005677032.tif 000003
【図３】
0005677032.tif 000004
【図４】
0005677032.tif 000005
【図５】
0005677032.tif 000006
【図６】
0005677032.tif 000007
【図７】
0005677032.tif 000008
【図８】
0005677032.tif 000009
【図９】
0005677032.tif 000010
【図１０】
0005677032.tif 000011
【図１１】
0005677032.tif 000012
【図１２】
0005677032.tif 000013
【図１３】
0005677032.tif 000014
【図１４】
0005677032.tif 000015
【図１５】
0005677032.tif 000016
【図１６】
0005677032.tif 000017
【図１７】
0005677032.tif 000018
【図１８】
0005677032.tif 000019
【図１９】
0005677032.tif 000020
【図２０】
0005677032.tif 000021
【図２１】
0005677032.tif 000022
【図２２】
0005677032.tif 000023
【図２３】
0005677032.tif 000024
【図２４】
0005677032.tif 000025
【図２５】
0005677032.tif 000026
【図２６】
0005677032.tif 000027
【図２７】
0005677032.tif 000028
【図２８】
0005677032.tif 000029